(57)【特許請求の範囲】
【請求項１】
リードフレームとプリント配線板のスルーホールとの間に溶融半田を供給する半田接合用の治具板であって，
前記リードフレームのアウターリード部表面を覆う外側遮蔽部と，
前記外側遮蔽部に囲まれ，前記プリント配線板を配置する内側遮蔽部と，
前記外側遮蔽部の内側壁と前記内側遮蔽部の外側壁との間に形成される半田付け用穴と，
前記外側遮蔽部の内側壁に囲まれ，前記内側遮蔽部を底部とし，前記プリント配線板の厚さと同一又は薄い深さを有し，前記プリント配線板を嵌め込む嵌込み用凹部と，
前記外側遮蔽部の下面に位置し，前記半田付用穴の外側を囲む凹状の半田流入用段部と，
前記内側遮蔽部と半田流入用段部を連結する連結部と，
を備えることを特徴とする半田接合用の治具板。
【請求項２】
前記半田流入用段部は，下方に向かって拡開していることを特徴とする請求項１に記載の半田接合用の治具板。
【請求項３】
前記内側遮蔽部の外側壁は，その下面において，面取りされていることを特徴とする請求項１に記載の半田接合用の治具板。
【請求項４】
リードフレームとプリント配線板のスルーホールとの間に溶融半田を供給し，電子部品搭載用基板を製造する方法であって，
前記リードフレームのアウターリード部表面を覆う外側遮蔽部の内側壁に囲まれる内側遮蔽部を底部とし，前記プリント配線板の厚さと同一又は薄い深さを有する嵌込み用凹部に前記プリント配線板を嵌め込む工程と，
前記外側遮蔽部の下面に位置し，前記半田付用穴の外側を囲む凹状の半田流入用段部を経由し，前記外側遮蔽部の内側壁と前記内側遮蔽部の外側壁との間に形成される半田付け用穴の下方から，前記スルーホールの内部へ溶融半田を浸入させ，前記スルーホールの内部充填及び前記スルーホールとリードフレームとを接合する工程と，
を含むことを特徴とする電子部品搭載用基板の製造方法。
【発明の詳細な説明】
【０００１】
【産業上の利用分野】
本発明は，プリント配線板にリードフレームを半田接合するために用いる半田接合用の治具板，及び該治具板を用いた電子部品搭載用基板の製造方法に関する。
【０００２】
【従来技術】
従来，電子部品搭載用基板としては，例えば，図１４に示すごとく，プリント配線板７の上面にリードフレーム６を半田接合したものがある。プリント配線板７は，絶縁基板７５を貫通するスルーホール７１と，絶縁基板７５の略中央部に設けられ，電子部品９２を搭載するための搭載用凹部７２０と，絶縁基板７５の表面に設けた配線パターン５２とを有している。
【０００３】
搭載用凹部７２０は，絶縁基板７５の搭載用穴７２と，該搭載用穴７２の下方を被覆する放熱板９３とにより構成されている。搭載用凹部７２０に搭載された電子部品９２は，ボンディングワイヤー９２０により，配線パターン５２と電気的に接続される。
スルーホール７１の内壁は，金属めっき膜５１により被覆されている。そして，スルーホール７１は，その内部に半田５０が充填されることによって，その上方開口部に位置する，リードフレーム６のインナーリード部６１と半田接合されている。
上記電子部品搭載用装置９においては，アウターリード部６２を露出させた状態で，プリント配線板７及びインナーリード部６１が封止用樹脂９４により被覆されている。
【０００４】
次に，上記プリント配線板７の上面にリードフレーム６を半田接合するに当たっては，例えば，図１５，図１６に示すごとく，半田接合用の治具板９９が用いられる。
即ち，治具板９９は，リードフレーム６のインナーリード部６１とプリント配線板７のスルーホール７１との間に溶融半田５を供給するための半田付用穴９３を有している。また，治具板９９は，半田付用穴９３よりも内側にはプリント配線板７を配置する内側遮蔽部９１を，一方半田付用穴９３よりも外側にはリードフレーム６の表面を覆う外側遮蔽部９２を有している。内側遮蔽部９１と外側遮蔽部９２とは，連結部９５により連結され，一体的に構成されている。
【０００５】
この治具板９９における内側遮蔽部９１の上にプリント配線板７及びリードフレーム６を載置した状態で，該治具板９９を，溶融半田５を噴流させながら半田浴の液面に浸して，半田処理を行う。これにより，スルーホール７１内に溶融半田５が供給され，その上方に配置するインナーリード部６１と接合される。
【０００６】
【解決しようとする課題】
しかしながら，上記治具板を用いてプリント配線板とリードフレームとを半田接合するに当たっては，半田付用穴９３の開口幅Ｈが一定値以上でなければならない。そして，この開口幅Ｈは，表１に示すごとく，治具板の厚みＦが大きい程，半田付用穴９３の開口幅Ｈを大きくする必要がある。また，半田噴流圧力を小さくすると，半田付用穴９３の開口幅Ｈを大きくする必要がある。
【０００７】
【表１】
0003709581.tif 000002
【０００８】
しかし，半田付用穴の開口幅Ｈを大きくすると，治具板９９の耐久性が低下する。また，半田流入量が過大となり，プリント配線板における隣接するスルーホールの間に，半田ブリッジが形成されるおそれがある。更に，開口幅Ｈが大きくなるほど，スルーホールの周囲におけるマスク領域が狭小となるため，プリント配線板７の下面において内側遮蔽部９１により被覆される部分が減少して，プリント配線板の設計自由度が小さくなる。
逆に，半田付用穴の開口幅を小さくすると，スルーホール内への半田の供給が不十分となり，治具板とリードフレームとの接合不良が発生することがある。
【０００９】
本発明はかかる従来の問題点に鑑み，プリント配線板のスルーホールに十分に溶融半田を供給することができ，プリント配線板とリードフレームとの半田接合性を高くし，且つ耐久性に優れた，プリント配線板の半田接合用の治具板，及び電子部品搭載用基板の製造方法を提供しようとするものである。
【００１０】
【課題の解決手段】
本発明に係る半田接合用の治具板は，リードフレームのインナーリード部とプリント配線板のスルーホールとの間に溶融半田を供給する半田接合用の治具板であって，リードフレームのアウターリード部表面を覆う外側遮蔽部と，外側遮蔽部に囲まれ，プリント配線板を配置する内側遮蔽部と，外側遮蔽部の内側壁と内側遮蔽部の外側壁との間に形成される半田付け用穴と，外側遮蔽部の内側壁に囲まれ，内側遮蔽部を底部とし，プリント配線板の厚さと同一又は薄い深さを有し，プリント配線板を嵌め込む嵌込み用凹部と，外側遮蔽部の下面に位置し，半田付用穴の外側を囲む凹状の半田流入用段部と，内側遮蔽部と半田流入用段部を連結する連結部と，を備えることを要旨とする。
【００１１】
本発明において最も注目すべきことは，治具板の上面にプリント配線板を嵌め込むための嵌込み用凹部を設けていること，及び外側遮蔽部の下面には半田付用穴の外側を囲むように凹状の半田流入用段部を設けていることである。
【００１２】
上記嵌込み用凹部は，プリント配線板を配置する内側遮蔽部と，該内側遮蔽部の外側壁を囲むよう形成された半田付用穴と，外側遮蔽部の内側壁とにより構成されている（図１）。
嵌込み用凹部の外形寸法Ａは，プリント配線板の外形寸法Ｃよりも０．１〜０．２ｍｍ大きいことが好ましい（図４参照）。０．１ｍｍ未満の場合には，嵌込み用凹部内にプリント配線板を配置することが困難となるおそれがある。一方，０．２ｍｍを越える場合には，プリント配線板の配置位置が定まらず，正確な位置においてプリント配線板とリードフレームとを半田接合することが困難となるおそれがある。
【００１３】
嵌込み用凹部の深さＤは，上記プリント配線板の厚みＴとの間に，Ｄ≦Ｔの関係があることが好ましい（図４参照）。
嵌込み用凹部の深さＤが，プリント配線板の厚みＴよりも大きい場合（Ｄ＞Ｔ）には，プリント配線板の下面と内側遮蔽部の上面との間に隙間ができ，該隙間の間に溶融半田が浸入して，プリント配線板の下面を汚染するおそれがある。
【００１４】
更に，嵌込み用凹部の深さＤとプリント配線板の厚みＴとの差は，０．６ｍｍ以下であることが好ましい。上記の深さＤと厚みＴとの差が０．６ｍｍを越える場合には，プリント配線板及びリードフレームが治具板上に安定して配置されないおそれがある。また，プリント配線板の上面と外側遮蔽部の上面との段差により，両者の間に跨がって配置されているインナーリード部が折れ曲がってしまうおそれがある。
【００１５】
半田流入用段部は，外側遮蔽部の下面に，半田付用穴の外側を囲むように凹状に設けられている。半田流入用段部の下面は，治具板の下面よりも高い位置にある。半田流入用段部の下面と治具板の下面との段差Ｗは，内側遮蔽部の厚みＥと同じか，又はそれよりも大きく且つ治具板の厚みＦよりも０．３ｍｍ以上小さいこと，即ち，Ｅ≦Ｗ≦Ｆ−０．３（ｍｍ）の関係が成り立つことが好ましい（図４参照）。Ｗ＜Ｅの場合にはスルーホール内への溶融半田の供給が不十分となるおそれがある。一方，Ｗ＞Ｆ−０．３（ｍｍ）の場合には，外側遮蔽部の強度が低下するおそれがある。
【００１６】
半田流入用段部は，その下面において，下方に向かって拡開していることが好ましい（図１０〜図１２）。これにより，半田流入用段部と内側遮蔽部の外側壁との間の開口面積が広くなり，両者の間に設けた半田付用穴内に一層多くの溶融半田を供給することができ，スルーホール内への溶融半田の充填を確実に行うことができる。また，同様の理由により，内側遮蔽部の外側壁は，その下面において，面取りされていることが好ましい（図１２，図１３）。
【００１７】
半田付用穴は，内側遮蔽部の外側壁と外側遮蔽部の内側壁との間に形成された穴である。半田付用穴は，プリント配線板のスルーホールが配置する位置に開口している。半田付用穴の開口幅Ｈは，０．７〜２．０ｍｍであることが好ましい（図４参照）。０．７ｍｍ未満の場合には，スルーホール内に溶融半田を十分に供給することが困難となる場合がある。一方，２．０ｍｍを越える場合には，スルーホール内に十分に溶融半田が供給される反面，プリント配線板の露出面積が大きくなり，プリント配線板の設計自由度が小さくなるおそれがある。
【００１８】
上記治具板は，プリント配線板とリードフレームとを，治具板の上面との間において挟持するための挟持用平板を有していることが好ましい（図８）。これにより，プリント配線板とリードフレームとを確実に固定することができ，取扱が容易となる。
【００１９】
更に，治具板は，プリント配線板及びリードフレームを挟持用平板によって挟持した状態において，上記４者を一体的に固定するための固定具を有していることが好ましい（図８）。上記固定具は，例えば，治具板，プリント配線板，リードフレーム，及び挟持用平板を積層した状態でこれら４者を挿入，固定するための，嵌め込み部を有している。これにより，上記４者を一体的に取り扱うことができ，取扱が容易となる。
【００２０】
次に，上記治具板を用いて電子部品搭載用基板を製造する方法としては，リードフレームとプリント配線板のスルーホールとの間に溶融半田を供給し，電子部品搭載用基板を製造する方法であって，
前記リードフレームのアウターリード部表面を覆う外側遮蔽部の内側壁に囲まれる内側遮蔽部を底部とし，前記プリント配線板の厚さと同一又は薄い深さを有する嵌込み用凹部に前記プリント配線板を嵌め込む工程と，
前記外側遮蔽部の下面に位置し，前記半田付用穴の外側を囲む凹状の半田流入用段部を経由し，前記外側遮蔽部の内側壁と前記内側遮蔽部の外側壁との間に形成される半田付け用穴の下方から，前記スルーホールの内部へ溶融半田を浸入させ，前記スルーホールの内部充填及び前記スルーホールとリードフレームとを接合する工程と，
を含むことを特徴とする電子部品搭載用基板の製造方法がある。
【００２１】
上記プリント配線板とリードフレームとは，治具板の上に配置する前に，予め，接着しておくことが好ましい。これにより，半田接合処理の際に，プリント配線板及びリードフレームの間に位置ずれが発生することなく，正確な位置に半田接合をすることができる。
その他は，上記治具板について説明した内容と同様である。
【００２２】
【作用及び効果】
本発明の半田接合用の治具板においては，その上面に，プリント配線板を嵌め込むための嵌込み用凹部を設けている。嵌込み用凹部内にプリント配線板が嵌め込まれると，嵌込み用凹部を構成する内側遮蔽部の上面及び外側遮蔽部の内側壁によってプリント配線板が定位置に固定される。従って，上記治具板によれば，プリント配線板を正確に位置決め，固定することができる。
【００２３】
また，外側遮蔽部の下面には，半田付用穴の外側を囲むように凹状の半田流入用段部を設けている。そのため，半田流入用段部は，半田付用穴の下面開口幅を拡大することとなる。このため，治具板の下面を溶融半田に浸し，溶融半田を噴流供給した場合，半田付用穴に露出したスルーホールの開口付近間際まで，多量の溶融半田が供給される。
それ故，スルーホール内に溶融半田が浸入しやすくなる。従って，スルーホール内に十分に溶融半田が供給され，スルーホールとインナーリード部との半田接合を確実に行うことができる。
【００２４】
また，半田付用穴の開口幅を大きくすることなく，多量の溶融半田をスルーホールの下方開口部付近に供給することができる。そのため，内側遮蔽部によるプリント配線板の遮蔽面積を十分に確保することができる。それ故，隣接するスルーホールの間に半田ブリッジが形成されることはない。また，プリント配線板の設計自由度が高くなる。
【００２５】
また，上記のごとく，溶融半田の浸入が容易となるため，溶融半田に接触する部分を極小にすることができ，高温の溶融半田によるプリント配線板の損傷を抑制することができる。また，半田付用穴の開口幅を小さくすることができるため，治具板の耐久性を向上させることができる。
更に，上記半田流入用段部の下面と治具板の下面との段差を調整することにより，スルーホール内に十分に溶融半田を供給しつつ，且つ治具板の厚みを大きくして耐久性を高めることもできる。
【００２６】
本発明によれば，プリント配線板のスルーホールに十分に溶融半田を供給することができ，プリント配線板とリードフレームとの半田接合性を高くし，且つ耐久性に優れた，プリント配線板の半田接合用の治具板，及び電子部品搭載用基板の製造方法を提供することができる。
【００２７】
【実施例】
実施例１
本発明の実施例に係る半田接合用の治具板，及びこれを用いた電子部品搭載用基板の製造方法について，図１〜図９を用いて説明する。
本例の半田接合用の治具板は，図１に示すごとく，リードフレーム６のインナーリード部６１とプリント配線板７のスルーホール７１との間に溶融半田５を供給するための半田付用穴１３を有している。また，治具板１は，半田付用穴１３よりも内側にはプリント配線板７を配置する内側遮蔽部１１を，一方，半田付用穴１３よりも外側にはリードフレーム６の表面を覆う外側遮蔽部１２を設けている。
【００２８】
内側遮蔽部１１の上面は，外側遮蔽部１２の上面よりも低い位置に形成されて，プリント配線板７を嵌め込むための嵌込み用凹部１０を構成している。
また，外側遮蔽部１２の下面においては，半田付用穴１３の外側に，該半田付用穴を囲むように凹状の半田流入用段部１２１を有している。
【００２９】
また，図２，図３に示すごとく，内側遮蔽部１１と半田流入用段部１２１との間には，両者を連結する連結部１５を有している。尚，本例においては，内側遮蔽部１１は，その四方向から４本の連結部１５により半田流入用段部１２１と連結されているが，対角線状に二方向から２本の連結部１５により連結することもできる。
【００３０】
嵌込み用凹部１０は，図４に示すごとく，プリント配線板７を配置する内側遮蔽部１１と，該内側遮蔽部の外側壁を囲むよう形成された半田付用穴１３と，外側遮蔽部１２の内側壁とにより構成されている。
嵌込み用凹部１０の外形寸法Ａは２．５ｍｍ×２．５ｍｍであり，プリント配線板の外形寸法Ｃよりも０．２ｍｍ大きい。嵌込み用凹部１０の深さＤはプリント配線板７の厚みＴと同一である。
【００３１】
半田流入用段部１２１は，外側遮蔽部１２の下面に，半田付用穴１３の外側を囲むように凹状に設けられている。半田流入用段部１２１の下面は，治具板１の下面よりも高い位置にある。半田流入用段部１２１の下面と治具板１の下面との段差Ｗは０．５ｍｍであり，内側遮蔽部１１の厚みＥと同じか，又はそれよりも大きく且つ治具板１の厚みＦよりも０．３ｍｍ以上小さい。
【００３２】
半田付用穴１３は，内側遮蔽部１１の外側壁と外側遮蔽部１２の内側壁との間に形成された穴である。半田付用穴１３は，内側遮蔽部１１の外側を囲み，且つ外側遮蔽部１２の内側を囲むように形成されている。半田付用穴１３は，プリント配線板７のスルーホール７１が配置する位置に開口している。半田付用穴１３の開口幅Ｈは，３．０ｍｍである。
【００３３】
治具板１は，図８に示すごとく，プリント配線板７とリードフレーム６とを，治具板１との間において挟持するための挟持用平板２を有している。また，治具板１は，プリント配線板７及びリードフレーム６を挟持用平板２によって挟持した状態において，上記４者を一体的に固定する固定具３を有している。
【００３４】
固定具３は，治具板１，プリント配線板７，リードフレーム６，及び挟持用平板２を積層した状態でこれら４者を挿入，固定するための，逆Ｌ字状の嵌め込み部３２と平板状の基台３１とを有している。嵌め込み部３２は，基台３１に対してネジ３２９により留められている。
そして，嵌め込み部３２と基台３１との間には，上記４者の積層物の左右両端部をスライド挿入する挿入部３２０を形成している（図８，図９）。
【００３５】
次に，上記治具板１を用いた電子部品搭載用基板の製造方法について説明する。
まず，上記の治具板と，プリント配線板と，リードフレームとを準備する。図５，図７に示すごとく，プリント配線板７には，その表面に配線パターン５２を，その略中央部に電子部品搭載用の搭載用穴７２を設けてある。スルーホール７１の内壁は，金属めっき膜５１により被覆されている。また，プリント配線板７におけるスルーホール形成部分よりも外側周縁部には，ソルダーレジスト膜７８を形成する。
【００３６】
図６に示すごとく，リードフレーム６は，スルーホール７１の開口部上方に配置した多数のインナーリード部６１と，インナーリード部６１から外方に向かって設けられたアウターリード部６２と，アウターリード部６２を固定するフレーム部６５とを有している。フレーム部６５には，固定用穴６６が設けられている。
【００３７】
次に，図７に示すごとく，プリント配線板７とリードフレーム６とを，予め，接着剤７９により接着する。これは，半田接合処理の際に，プリント配線板７及びリードフレーム６の間に位置ずれが発生すること防止するためである。
次に，図１，図５に示すごとく，スルーホール７１の開口部上方に上記インナーリード部６１が位置するようにプリント配線板７の上にリードフレーム６を配置すると共に，プリント配線板７を嵌込み用凹部１０内に嵌め込む。
【００３８】
次に，図８，図９に示すごとく，挟持用平板２，リードフレーム６，プリント配線板７，及び治具板１を順に積層する。次いで，この積層物の左右両側を基台３１と嵌め込み部３２との間に形成された挿入部３２０に挿入することより，一体的に固定する。
【００３９】
次に，上記積層物及び固定具３を，図８の状態から上下を逆転させて，図１に示すごとく，溶融半田浴に対面配置する。
次いで，図１に示すごとく，治具板１の半田付用穴１３の下方から，スルーホール７１の内部へ溶融半田５を噴流供給し，スルーホール７１の内部充填及びスルーホール７１とインナーリード部６２との半田接合を行う。これにより，電子部品搭載用基板を得る。
【００４０】
その後，上記電子部品搭載用基板について，従来と同様に，放熱板９３の接着，電子部品９２の搭載，封止用樹脂９４によるプリント配線板７の封止，リード端子６２とフレーム部６５との間の切断を行うことにより，電子部品搭載用装置９が得られる（図１４参照）。
【００４１】
次に，本例の作用効果について説明する。
本例の半田接合用の治具板１においては，図１に示すごとく，その上面に，プリント配線板７を嵌め込むための嵌込み用凹部１０を設けている。嵌込み用凹部１０内にプリント配線板７が嵌め込まれると，嵌込み用凹部１０を構成する内側遮蔽部１１の上面及び外側遮蔽部１２の内側壁によってプリント配線板７が定位置に固定される。従って，治具板１によれば，プリント配線板７を正確に位置決め，固定することができる。
【００４２】
また，外側遮蔽部１２の下面には，半田付用穴１３の外側を囲むように凹状の半田流入用段部１２１を設けている。そのため，半田付用穴１３の下面開口幅は，半田流入用段部１２１によって拡大することとなる。このため，治具板１の下面を溶融半田５に浸し，溶融半田５を噴流供給した場合，半田付用穴１３に露出したスルーホール７１の開口付近間際まで，多量の溶融半田５が供給される。それ故，スルーホール７１内に溶融半田５が浸入しやすくなる。従って，スルーホール７１内に十分に溶融半田５が供給され，スルーホール７１とインナーリード部６１との半田接合を確実に行うことができる。
【００４３】
また，半田付用穴１３の開口幅Ｈを大きくすることなく，多量の溶融半田５をスルーホールの下方開口部付近に供給することができる。そのため，内側遮蔽部１１によるプリント配線板７の遮蔽面積を十分に確保することができる。それ故，隣接するスルーホール７１の間に半田ブリッジが形成されることはない。また，プリント配線板の設計自由度が高くなる。
【００４４】
また，上記のごとく，溶融半田の浸入が容易となるため，溶融半田に接触する部分を極小にすることができ，高温の溶融半田によるプリント配線板７の損傷を抑制することができる。また，半田付用穴１３の開口幅Ｈを小さくすることができるため，治具板１の耐久性を向上させることができる。
更に，図４に示すごとく，半田流入用段部１２１の下面と治具板１の下面との段差Ｗを調整することにより，スルーホール７１内に十分に溶融半田５を供給しつつ，且つ治具板１の厚みを大きくして，治具板の耐久性を高めることもできる。
【００４５】
治具板１は，図８に示す如く，プリント配線板７及びリードフレーム６を挟持用平板２によって挟持した状態において，上記４者を一体的に固定するための固定具３を有している。そのため，プリント配線板７とリードフレーム６とを，正確な位置に，確実に固定することができる。また，上記４者を一体的に取り扱うことができ，取扱が容易となる。
【００４６】
本例においては，図５に示すごとく，スルーホール７１は，プリント配線板７の端部からの距離Ｂが１．８ｍｍの位置に設けてある。
一方，従来例の治具板を用いた場合には，プリント配線板の端部からの距離Ｂが１．８ｍｍの位置にスルーホールを設けてもスルーホール内に十分に溶融半田が供給されなかった。そして，プリント配線板の端部からの距離Ｂが２．６ｍｍの位置に設けた場合に始めて溶融半田が十分にスルーホール内に供給されるようになった。
【００４７】
このことは，本例の治具板１を用いた場合には，プリント配線板７の端部及びその周囲が半田流入用段部１２１に露出するため，プリント配線板の端部付近にスルーホールを設けた場合にも，スルーホール７１内に溶融半田５が十分に供給されるものと考えられる。一方，従来例の治具板９９（図１５参照）を用いた場合には，プリント配線板の端部及びその周囲が外側遮蔽部９２の陰となり，溶融半田５が供給されにくい状態にあるためと考えられる。
従って，本例の治具板によれば，スルーホールをプリント配線板の端部付近に設けることができ，プリント配線板の基板設計自由度を高くすることができる。
【００４８】
実施例２
本例の治具板１においては，図１０に示すごとく，半田流入用段部１２１が，その下面において，下方に向かって拡開している。即ち，半田流入用段部１２１の下面と治具板１の下面との間には，斜面１２２が形成されている。その他は，実施例１と同様である。
【００４９】
本例においては，半田流入用段部１２１の下面が，下方に向かって拡開している。そのため，半田流入用段部１２１の下面と内側遮蔽部１１の外側壁との間の開口面積が広くなり，両者の間に設けた半田付用穴１３内に一層多くの溶融半田を供給することができる。従って，スルーホール内への溶融半田の供給を十分に行うことができる。その他，本例においても，実施例１と同様の効果を得ることができる。
【００５０】
実施例３
本例の治具板１においては，図１１に示すごとく，半田流入用段部１２１の下面と半田流入用段部１２１の外側壁との間には，斜面１２３が形成されている。その他は，実施例２と同様である。
【００５１】
本例においては，上記のごとく，半田流入用段部１２１の下面と外側壁との間に設けた斜面１２３により，半田流入用段部１２１が，その下面において，下方に向かって拡開する。そのため，実施例２と同様に，スルーホール内への溶融半田の供給を十分に行うことができる。その他，本例においても，実施例１と同様の効果を得ることができる。
【００５２】
実施例４
本例の治具板１においては，図１２に示すごとく，内側遮蔽部１１の外側壁が，その下面において，面取りされている。即ち，内側遮蔽部１１の外側壁が面取りされて，下方に向かって拡開した斜面１１１となっている。
その他は，実施例２と同様である。
【００５３】
本例においては，上記のごとく，内側遮蔽部１１の周縁部は，その下面において，面取りされている。そのため，実施例２と同様に，スルーホール内への溶融半田の供給を十分に行うことができる。その他，本例においても，実施例１と同様の効果を得ることができる。
【００５４】
実施例５
本例の治具板１においては，図１３に示すごとく，内側遮蔽部１１の外側壁の下方が面取りされて，内側遮蔽部１１の外側壁の上方と下面との間に斜面１１２が形成されている。その他は，実施例１と同様である。
本例においては，内側遮蔽部１１の外側壁下方が面取りされているため，半田接合用穴１３の下方開口幅が拡大されて，実施例２と同様にスルーホール内への溶融半田の供給を十分に行うことができる。その他，本例においても，実施例１と同様の効果を得ることができる。
【図面の簡単な説明】
【図１】実施例１において，半田接合用の治具板を用いてプリント配線板とリードフレームとを半田接合する方法を示す説明図。
【図２】実施例１の半田接合用の治具板の裏面図。
【図３】実施例１の半田接合用の治具板を裏面側からみた斜視図。
【図４】実施例１の半田接合用の治具板の断面図。
【図５】実施例１において，嵌込み用凹部内にプリント配線板を嵌め込んだ半田接合用の治具板の裏面図。
【図６】実施例１において，プリント配線板の上面に配置したリードフレームの平面図。
【図７】実施例１において，接着されたプリント配線板とリードフレームとの断面図。
【図８】実施例１において，挟持用平板，リードフレーム，プリント配線板，及び治具板を固定した状態の固定具を示す説明図。
【図９】実施例１において，挟持用平板，リードフレーム，プリント配線板，及び治具板を固定具により一体的に固定する方法を示す説明図。
【図１０】実施例２の半田接合用の治具板の断面図。
【図１１】実施例３の半田接合用の治具板の断面図。
【図１２】実施例４の半田接合用の治具板の断面図。
【図１３】実施例５の半田接合用の治具板の断面図。
【図１４】従来例における電子部品搭載用装置の断面図。
【図１５】従来例において，半田接合用の治具板を用いてプリント配線板とリードフレームとを半田接合する方法を示す説明図。
【図１６】従来例の半田接合用の治具板の裏面図。
【符号の説明】
１．．．治具板，
１０．．．嵌込み用凹部，
１１．．．内側遮蔽部，
１１１，１１２，１２２，１２３．．．斜面，
１２．．．外側遮蔽部，
１２１．．．半田流入用段部，
１３．．．半田接合用穴，
１５．．．連結部，
２．．．挟持用平板，
３．．．固定具，
５．．．溶融半田，
５２．．．配線パターン，
６．．．リードフレーム，
６１．．．インナーリード部，
６２．．．アウターリード部，
７．．．プリント配線板，
７１．．．スルーホール，
７２．．．搭載用穴，
【図１】
0003709581.tif 000003
【図２】
0003709581.tif 000004
【図３】
0003709581.tif 000005
【図４】
0003709581.tif 000006
【図５】
0003709581.tif 000007
【図６】
0003709581.tif 000008
【図７】
0003709581.tif 000009
【図８】
0003709581.tif 000010
【図９】
0003709581.tif 000011
【図１０】
0003709581.tif 000012
【図１１】
0003709581.tif 000013
【図１２】
0003709581.tif 000014
【図１３】
0003709581.tif 000015
【図１４】
0003709581.tif 000016
【図１５】
0003709581.tif 000017
【図１６】
0003709581.tif 000018